(57)【要約】【課題】傾斜したヘッドユニットにミストに由来する液滴が付着することによって記録媒体に汚れが発生することを抑制する。【解決手段】ヘッドユニットは、液体を吐出するノズルが設けられたノズル面を備えた第１吐出ヘッドを有する。ヘッドユニットにおいて、ノズルの形成範囲よりも、ノズル面に沿った第１軸における一方側には、撥水性を有する第１領域が設けられ、ノズルの形成範囲よりも、第１軸における他方側には、第１領域よりも撥水性が低い第２領域が設けられる。【選択図】図２
2020196191.tif 000002
【特許請求の範囲】
【請求項１】
液体を吐出するノズルが設けられたノズル面を備えた第１吐出ヘッドを有するヘッドユニットであって、
前記ノズルの形成範囲よりも、前記ノズル面に沿った第１軸における一方側には、撥水性を有する第１領域が設けられ、
前記ノズルの形成範囲よりも、前記第１軸における他方側には、前記第１領域よりも撥水性が低い第２領域が設けられることを特徴とするヘッドユニット。
【請求項２】
液体を吐出するノズルが設けられたノズル面を備えた第１吐出ヘッドを有するヘッドユニットであって、
前記ノズルの形成範囲よりも、前記ノズル面に沿った第１軸における一方側には、第１領域が設けられ、
前記ノズルの形成範囲よりも、前記第１軸における他方側には、前記第１領域よりも臨界表面張力が大きい第２領域が設けられることを特徴とするヘッドユニット。
【請求項３】
前記ノズル面上において、
前記ノズルの形成範囲よりも前記一方側には、前記第１領域が設けられ、
前記ノズルの形成範囲よりも前記他方側には、前記第２領域が設けられることを特徴とする請求項１または２に記載のヘッドユニット。
【請求項４】
前記第１吐出ヘッドが固定され、前記ノズル面が露出する開口部を有する固定板を更に有し、
前記固定板上において、
前記ノズルの形成範囲よりも前記一方側には、前記第１領域が設けられ、
前記ノズルの形成範囲よりも前記他方側には、前記第２領域が設けられることを特徴とする請求項１または２に記載のヘッドユニット。
【請求項５】
前記ノズルの形成範囲よりも、前記第１軸と交差し前記ノズル面に沿った第２軸における少なくとも一方側には、前記第２領域が設けられることを特徴とする請求項１から４のいずれか１項に記載のヘッドユニット。
【請求項６】
液体を吐出するノズルが設けられたノズル面を備え、前記第１吐出ヘッドと異なる位置に設けられた第２吐出ヘッドを有し、
前記第１吐出ヘッドの前記ノズルの形成範囲よりも前記他方側と、前記第２吐出ヘッドの前記ノズルの形成範囲よりも前記他方側と、には、共通の前記第２領域が設けられることを特徴とする請求項１から５のいずれか１項に記載のヘッドユニット。
【請求項７】
前記ノズル面には、複数の前記ノズルが、前記第１軸に沿って配列されていることを特徴とする請求項１から６のいずれか１項に記載のヘッドユニット。
【請求項８】
前記ノズル面には、複数の前記ノズルが、前記第１軸と交差し前記ノズル面に沿った第２軸に沿って配列されていることを特徴とする請求項１から７のいずれか１項に記載のヘッドユニット。
【請求項９】
前記ヘッドユニットが液体吐出装置に装着されて吐出動作が行われる際に、前記ノズル面は、水平な面に対して交差し、
前記一方は、上方に対応し、
前記他方は、下方に対応することを特徴とする請求項１から８のいずれか１項に記載のヘッドユニット。
【請求項１０】
前記ノズルの形成範囲よりも前記一方側には、前記第２領域が設けられないことを特徴とする請求項１から９のいずれか１項に記載のヘッドユニット。
【請求項１１】
液体を吐出するノズルが設けられたノズル面を備えた吐出ヘッドを有するヘッドユニットと、
前記ノズル面が水平な面に対して交差した状態で吐出動作を行うよう前記ヘッドユニットを制御する制御部と、を有する液体吐出装置であって、
前記ノズルの形成範囲よりも上方側には、撥水性を有する第１領域が設けられ、
前記ノズルの形成範囲よりも下方側には、前記第１領域よりも撥水性が低い第２領域が設けられることを特徴とする液体吐出装置。
【請求項１２】
液体を吐出するノズルが設けられたノズル面を備えた吐出ヘッドを有するヘッドユニットと、
前記ノズル面が水平な面に対して交差した状態で吐出動作を行うよう前記ヘッドユニットを制御する制御部と、を有する液体吐出装置であって、
前記ノズルの形成範囲よりも上方側には、第１領域が設けられ、
前記ノズルの形成範囲よりも下方側には、前記第１領域よりも臨界表面張力が大きい第２領域が設けられることを特徴とする液体吐出装置。
【請求項１３】
前記制御部による吐出動作を行わないときに前記ノズル面を封止するキャップを更に有し、
前記キャップには、前記ノズル面の封止を行う際に前記第２領域と接触する接触部が設けられていることを特徴とする請求項１１または１２に記載の液体吐出装置。
【発明の詳細な説明】
【技術分野】
【０００１】
本開示は、ヘッドユニットおよび液体吐出装置に関する。
【背景技術】
【０００２】
インクジェットプリンター等の液体吐出装置には、ヘッドユニットが備えられている。ヘッドユニットでは、インクの吐出に伴って、記録媒体に付着せずにプリンター内を浮遊するミストが発生することが知られている。ノズルが形成されているノズル形成面に、このようなミストに由来する液滴が付着する虞がある。これに対し、ノズル形成面に撥水性を有する領域を設けることにより、ワイピング等のメンテナンス動作にて付着した液体を容易に除去することができる。
一方、特許文献１に記載されたインクジェットプリンターでは、ヘッドユニットを水平方向に対して傾斜するように配置し、斜め上方から記録用紙にインクを吐出している。
【先行技術文献】
【特許文献】
【０００３】
【特許文献１】特開２０１８−１１４７４４号公報
【発明の概要】
【発明が解決しようとする課題】
【０００４】
しかしながら、傾斜したヘッドユニットを用いる場合にノズル形成面に撥水性を持たせると、その撥水性と傾斜によって付着した液滴がノズル形成面を伝って液滴が下方に流れ、大きな液滴に成長する可能性がある。そうすると、ノズル形成面の撥水性の高さ、換言すれば、臨界表面張力の小ささゆえ、液滴が大きく盛り上がり、大型化した液滴が記録媒体に付着し、汚れが発生する虞がある。
【課題を解決するための手段】
【０００５】
本開示の第１の形態によれば、液体を吐出するノズルが設けられたノズル面を備えた第１吐出ヘッドを有するヘッドユニットが提供される。このヘッドユニットは、前記ノズルの形成範囲よりも、前記ノズル面に沿った第１軸における一方側には、撥水性を有する第１領域が設けられ、前記ノズルの形成範囲よりも、前記第１軸における他方側には、前記第１領域よりも撥水性が低い第２領域が設けられることを特徴とする。
【０００６】
本開示の第２の形態によれば、液体を吐出するノズルが設けられたノズル面を備えた第１吐出ヘッドを有するヘッドユニットが提供される。このヘッドユニットは、前記ノズルの形成範囲よりも、前記ノズル面に沿った第１軸における一方側には、第１領域が設けられ、前記ノズルの形成範囲よりも、前記第１軸における他方側には、前記第１領域よりも臨界表面張力が大きい第２領域が設けられることを特徴とする。
【０００７】
本開示の第３の形態によれば、液体吐出装置が提供される。この液体吐出装置は、液体を吐出するノズルが設けられたノズル面を備えた吐出ヘッドを有するヘッドユニットと、前記ノズル面が水平な面に対して交差した状態で吐出動作を行うよう前記ヘッドユニットを制御する制御部と、を有し、前記ノズルの形成範囲よりも上方側には、撥水性を有する第１領域が設けられ、前記ノズルの形成範囲よりも下方側には、前記第１領域よりも撥水性が低い第２領域が設けられることを特徴とする。
【０００８】
本開示の第４の形態によれば、液体吐出装置が提供される。この液体吐出装置は、液体を吐出するノズルが設けられたノズル面を備えた吐出ヘッドを有するヘッドユニットと、前記ノズル面が水平な面に対して交差した状態で吐出動作を行うよう前記ヘッドユニットを制御する制御部と、を有し、前記ノズルの形成範囲よりも上方側には、第１領域が設けられ、前記ノズルの形成範囲よりも下方側には、前記第１領域よりも臨界表面張力が大きい第２領域が設けられることを特徴とする。
【図面の簡単な説明】
【０００９】
【図１】液体吐出装置の概略構成を示す模式図である。
【図２】ヘッドユニットの媒体対向面の構成を示す図である。
【図３】図２におけるＩＩＩ−ＩＩＩ断面図である。
【図４】第２実施形態におけるヘッドユニットの媒体対向面を示す図である。
【図５】第３実施形態におけるヘッドユニットの媒体対向面を示す図である。
【図６】第４実施形態におけるヘッドユニットの媒体対向面を示す図である。
【図７】第５実施形態におけるヘッドユニットの媒体対向面を示す図である。
【図８】第６実施形態におけるヘッドユニットの媒体対向面を示す図である。
【図９】第７実施形態におけるヘッドユニットの媒体対向面を示す図である。
【図１０】第８実施形態におけるヘッドユニットの媒体対向面を示す図である。
【図１１】第９実施形態におけるヘッドユニットの媒体対向面を示す図である。
【図１２】第１０実施形態におけるヘッドユニットの媒体対向面を示す図である。
【図１３】第１１実施形態におけるヘッドユニットの媒体対向面を示す図である。
【図１４】第１２実施形態におけるヘッドユニットの媒体対向面を示す図である。
【図１５】第１３実施形態におけるキャップの断面構成を示す図である。
【図１６】第１４実施形態におけるキャップの断面構成を示す図である。
【発明を実施するための形態】
【００１０】
Ａ．第１実施形態：
図１は、本開示の第１実施形態としてのヘッドユニット５２が装着された液体吐出装置１００の概略構成を示す模式図である。液体吐出装置１００は、液体の一例であるインクの液滴を媒体に吐出して印刷するインクジェットプリンターである。媒体としては、印刷用紙の他、樹脂フィルムや布等の任意の材質の印刷対象を採用可能である。
【００１１】
図１において液体吐出装置１００は、装置底部に媒体の一例である記録用紙Ｐを収容する用紙カセット３０を着脱自在に備えている。用紙カセット３０はホッパー３１を備えており、ホッパー３１が不図示の駆動源から駆動力を受け、揺動軸３１ａを中心に揺動することで、用紙カセット３０に収容された記録用紙Ｐが、図示しないモーターにより回転駆動される給送ローラー３２に対し接離する。
【００１２】
給送ローラー３２により用紙カセット３０から送り出された記録用紙Ｐは、送りローラー３４と分離ローラー３６とのニップ位置を通過することで分離されるとともに下流側に送られて、上流搬送ローラー対３８に到達する。以下では用紙カセット３０から上流搬送ローラー対３８までの搬送経路を「供給搬送経路」と称する。上流搬送ローラー対３８と下流搬送ローラー対４０との間の用紙搬送経路は、記録用紙Ｐが吐出ヘッド２０と対向するヘッド対向領域４３として構成されている。ヘッド対向領域４３では、吐出ヘッド２０による記録用紙Ｐへの記録が行われる。ヘッド対向領域４３には、記録用紙Ｐを支持するプラテン４２が配置される。以下では上流搬送ローラー対３８から下流搬送ローラー対４０までの搬送経路を「記録搬送経路」と称することとする。
【００１３】
本実施形態では、液体吐出装置１００の記録搬送経路を構成するヘッド対向領域４３は、水平方向に対して傾斜している。また、供給搬送経路は、記録搬送経路の傾斜に沿う方向に傾斜して記録搬送経路に接続される。即ち、供給搬送経路と記録搬送経路とは略直線状に接続される。これらの供給搬送経路及び記録搬送経路と、後述する排出経路４７とを総じて「用紙搬送経路」と称する。ガイド部材Ｇは、用紙搬送経路の一部を形成する。
【００１４】
液体吐出装置１００の用紙搬送経路においてヘッド対向領域４３から下流側は、ヘッドユニット５２を内側に配置する湾曲経路を形成して記録用紙Ｐをフェイスダウンで排出する排出経路４７として構成されている。記録が行われた記録用紙Ｐは、記録面を内側にして湾曲反転され、排出経路４７を進む。排出経路４７は、より具体的には、下流搬送ローラー対４０から排出ローラー対４８までの搬送経路である。下流搬送ローラー対４０から排出ローラー対４８までには、複数の送りローラー対４４，４５，４６が設けられている。
【００１５】
排出経路４７を搬送される記録用紙Ｐは、用紙排出口４９に設けられた排出ローラー対４８によって、記録面を下側にした状態で、排出トレイ５０に向けて排出される。
【００１６】
液体吐出装置１００は、ヘッド対向領域４３に対向する位置にヘッドユニット５２を備えている。上記のように、ヘッド対向領域４３は、水平方向に対して傾斜している。そのため、ヘッドユニット５２も、水平方向に対して傾斜している。ヘッドユニット５２には、吐出ヘッド２０が、設けられている。吐出ヘッド２０は、液体を吐出するノズル２５が設けられたノズル面５４ａを有する。ノズル面５４ａは、水平方向に対して傾斜している。より具体的には、ノズル面５４ａからヘッド対向領域４３に向かう法線ベクトルが、重力方向下向きのベクトル成分を有するように、ノズル面５４ａは傾斜している。
【００１７】
液体吐出装置１００には、１または複数の制御部１０が備えられている。制御部１０は、ノズル面５４ａが水平方向に対して傾斜した状態で吐出動作を行うようヘッドユニット５２を制御する。本実施形態の液体吐出装置１００は、シリアルプリンターである。そのため、制御部１０は、ヘッドユニット５２を、記録用紙Ｐの幅方向に沿って往復移動させつつ、記録用紙Ｐにインクを吐出させることで、記録用紙Ｐに画像等の記録を行う。
【００１８】
液体吐出装置１００は、一側面が開口した箱状のキャップ５７を備えている。キャップ５７は、制御部１０によってヘッドユニット５２が吐出動作が行われないときに、ノズル面５４ａを封止する。キャップ５７が吐出ヘッド２０のノズル面５４ａを封止することにより、ヘッドユニット５２内のインクの乾燥が抑制される。また、キャップ５７が吐出ヘッド２０のノズル面５４ａを封止した状態、或いは、キャップ５７が吐出ヘッド２０のノズル面５４ａと対向した状態で、フラッシングを実行可能となる。フラッシングとは、吐出ヘッド２０からキャップ５７内にインクを吐出する動作である。図１には、キャップ５７がヘッドユニット５２から離れた位置に示されているが、実際は、ヘッドユニット５２が、ホームポジションに移動した際に、ヘッドユニット５２と対向可能な位置に配置されている。
【００１９】
図２は、ヘッドユニット５２の媒体対向面５６の構成を示す図である。以下では、ヘッドユニット５２においてノズル面５４ａが備えられた面のことを、「媒体対向面５６」という。図２には、第１軸ＡＸ１と第２軸ＡＸ２とが示されている。第１軸ＡＸ１は、ノズル面５４ａに沿った軸である。第２軸ＡＸ２は、第１軸ＡＸ１と交差し、ノズル面５４ａに沿った軸である。図２に「Ｓ１」と示した第１軸ＡＸ１の一方側は、重力方向において上側であり、「Ｓ２」と示した他方側は、重力方向において下側である。第１軸ＡＸ１および第２軸ＡＸ２は、ともに、実体を有する軸ではなく、各種の方向を規定するための仮想的な軸である。
【００２０】
図２に示すように、ヘッドユニット５２は、第１吐出ヘッド２１および第２吐出ヘッド２２を含む複数の吐出ヘッド２０を備えている。本実施形態では、第２吐出ヘッド２２は、第１吐出ヘッド２１とは異なる位置に設けられている。具体的には、第２吐出ヘッド２２は、第１吐出ヘッド２１と第２軸ＡＸ２における位置が異なり、更に、第２吐出ヘッド２２は、第１軸ＡＸ１において第１吐出ヘッド２１よりも、他方側に配置されている。ヘッドユニット５２は、プラテン４２に対向する固定板２３を備えている。固定板２３には、矩形状の開口部２４が複数、形成されている。吐出ヘッド２０は、各吐出ヘッド２０に備えられたノズル面５４ａが各開口部２４から露出するように、固定板２３に固定されている。各ノズル面５４ａは、ノズル２５の形成範囲を有する。以下、ノズル２５の形成範囲のことを、「ノズル形成範囲２５ａ」という。本実施形態におけるノズル形成範囲２５ａには、複数のノズル２５が第１軸ＡＸ１に沿って２列配列されている。なお、ノズル２５の列の数は、１列であってもよいし、３列以上であってもよい。
【００２１】
図３は、図２におけるＩＩＩ−ＩＩＩ断面図である。図３に示すように、固定板２３の開口部２４は、吐出ヘッド２０に備えられたノズルプレート２６よりも若干小さく形成されている。ノズルプレート２６は、ノズル２５が形成されたプレート体である。ノズルプレート２６は、例えば、ステンレス鋼によって形成されている。ノズルプレート２６のうち、開口部２４から露出した面がノズル面５４ａである。ノズルプレート２６の周縁部は、接着剤によって、固定板２３の裏面側、より詳しくは、開口部２４の周縁部の裏面側に接着されている。吐出ヘッド２０は、吐出ヘッド２０を保持するためのホルダー２７に形成されたヘッド収容部２８に収容されている。ホルダー２７は、補強板２９を介して、接着剤により固定板２３に固定されている。
【００２２】
図２および図３に示すように、本実施形態では、ノズル面５４ａ上において、ノズル形成範囲２５ａよりも、第１軸ＡＸ１における一方側には、撥水性を有する第１領域Ａ１が設けられている。また、本実施形態では、ノズル形成範囲２５ａよりも第１軸ＡＸ１における他方側には、第１領域Ａ１よりも撥水性が低い第２領域Ａ２が設けられている。換言すれば、ノズル形成範囲２５ａよりも、第１軸ＡＸ１における一方側には、第１領域Ａ１が設けられており、ノズル形成範囲２５ａよりも、第１軸ＡＸ１における他方側には、第１領域Ａ１よりも臨界表面張力が大きい第２領域Ａ２が設けられている。図２等において、第１領域Ａ１は小さな黒点によって示されているが、これは図示の都合であり、実際には、第１領域Ａ１は、黒点の周囲に広がる領域である。第１領域Ａ１および第２領域Ａ２における撥水性および臨界表面張力は、上方に向けた第１領域Ａ１および第２領域Ａ２に同じ種類の液体を滴下させてその液滴の各領域に対する接触角を測定することにより比較できる。接触角が大きければ、その領域の撥水性が高く、また、その領域の臨界表面張力が小さいことになる。なお、各領域における臨界表面張力のことを、表面自由エネルギーと呼ぶこともできる。
【００２３】
本実施形態では、ノズル面５４ａの、ノズル形成範囲２５ａよりも他方側に、第２軸ＡＸ２に沿ってガラスコーティング等の親水性コーティングが施されることによって撥水性の低い第２領域Ａ２が形成されている。そして、第２領域Ａ２以外の領域に対して、フッ素コーティング等の撥水性コーティングが施されることにより、第１領域Ａ１が形成されている。つまり、本実施形態では、ノズル面５４ａには、ノズル形成範囲２５ａよりも第１軸ＡＸ１における一方側の領域だけではなく、第２領域Ａ２以外の領域が、すべて撥水性を有する領域となっている。他の実施形態では、ノズル形成範囲２５ａよりも第１軸ＡＸ１における一方側のみに第１領域Ａ１が設けられてもよい。なお、ノズル形成範囲２５ａよりも他方側だけでなく、一方側にも第２領域Ａ２を設けることも可能であるが、後述する第２領域Ａ２の効果の観点から、一方側には第２領域Ａ２が設けられていないことが好ましい。
【００２４】
以上で説明した本実施形態では、ノズル形成範囲２５ａよりも第１軸ＡＸ１における一方側に撥水性を有する第１領域Ａ１が設けられ、他方側に第１領域Ａ１よりも撥水性が低い第２領域Ａ２が設けられている。そのため、傾斜したヘッドユニット５２のノズル面５４ａに、ミストに由来する液滴が付着してノズル面５４ａを伝って液滴が下方に流れたとしても、第２領域Ａ２の撥水性が低いため、第２領域Ａ２において液滴が濡れ広がり、大きな液滴に成長する可能性が低い。そのため、ノズル面５４ａに対向する記録用紙Ｐにミストに由来する液滴が付着して、汚れが発生する可能性を低減できる。
【００２５】
Ｂ．第２実施形態：
図４は、第２実施形態におけるヘッドユニット５２Ｂの媒体対向面５６を示す図である。上記第１実施形態では、ノズル面５４ａに対して第１領域Ａ１および第２領域Ａ２が設けられている。これに対して、第２実施形態では、固定板２３上に、第１領域Ａ１および第２領域Ａ２が設けられている。このような構成であれば、固定板２３上で液滴が成長して記録用紙Ｐを汚すことを抑制できる。
【００２６】
なお、ヘッドユニット５２Ｂにおいて、第１領域Ａ１と第２領域Ａ２の両方が固定板２３に設けられているのではなく、例えば、第１領域Ａ１のみがノズル面５４ａに設けられ、第２領域Ａ２は固定板２３に設けられてもよい。また、第２領域Ａ２のみがノズル面５４ａに設けられ、第１領域Ａ１は固定板２３に設けられてもよい。つまり、ヘッドユニット５２の媒体対向面５６において、ノズル形成範囲２５ａよりも第１軸ＡＸ１における一方側に第１領域Ａ１が設けられ、他方側に第２領域Ａ２が設けられていれば、第１領域Ａ１および第２領域Ａ２が設けられている位置は、ノズル面５４ａであっても固定板２３であっても構わない。
【００２７】
Ｃ．第３実施形態：
図５は、第３実施形態におけるヘッドユニット５２Ｃの媒体対向面５６を示す図である。第３実施形態では、ノズル面５４ａにおいて、ノズル形成範囲２５ａの他方側の一部が、Ｕ字状に形成された第２領域Ａ２によって囲われている。つまり、ノズル形成範囲２５ａよりも、第２軸ＡＸ２における少なくとも一方側、本実施形態では、第２軸ＡＸ２における両方側に、第１領域Ａ１よりも撥水性の低い第２領域Ａ２が設けられている。このような構成によれば、液滴が、ノズル形成範囲２５ａの左右方向において濡れ広がることができるため、ヘッドユニット５２Ｃの往復移動において液滴を第２領域Ａ２で捕捉しやすくなる。従って、ヘッドユニット５２Ｃに付着したミストに起因する液滴が記録用紙Ｐに付着することを効果的に抑制できる。
【００２８】
Ｄ．第４実施形態：
図６は、第４実施形態におけるヘッドユニット５２Ｄの媒体対向面５６を示す図である。第４実施形態では、固定板２３上において、ノズル形成範囲２５ａの他方側の一部が、Ｕ字状に形成された第２領域Ａ２によって囲われている。このような構成によっても、第３実施形態と同様に、ヘッドユニット５２Ｄに付着したミストに起因する液滴が記録用紙Ｐに付着することを効果的に抑制できる。
【００２９】
Ｅ．第５実施形態：
図７は、第５実施形態におけるヘッドユニット５２Ｅの媒体対向面５６を示す図である。本実施形態では、ヘッドユニット５２Ｅに備えられた複数の吐出ヘッド２０に共通して、ノズル形成範囲２５ａの他方側において第２軸ＡＸ２に沿って延びる１つの第２領域Ａ２が設けられている。つまり、第１吐出ヘッド２１のノズル形成範囲２５ａよりも他方側と、第２吐出ヘッド２２のノズル形成範囲２５ａよりも他方側と、には、共通の第２領域Ａ２が設けられている。このような構成によっても、ヘッドユニット５２Ｅに付着したミストに起因する液滴が記録用紙Ｐに付着することを抑制できる。また、第２領域Ａ２を各吐出ヘッド２０に共通して設けることができるので、ヘッドユニット５２Ｅの製造を容易に行うことができる。
【００３０】
Ｆ．第６実施形態：
図８は、第６実施形態におけるヘッドユニット５２Ｆの媒体対向面５６を示す図である。本実施形態では、２つの吐出ヘッド２０の間の位置に、第１軸ＡＸ１に沿って延びる第２領域Ａ２が共通して配置されており、それらが、ノズル形成範囲２５ａの他方側において、第２軸ＡＸ２に沿って線状に延びる第２領域Ａ２に接続されている。このような構成によっても、ヘッドユニット５２Ｆに付着したミストに起因する液滴が記録用紙Ｐに付着することを抑制できる。
【００３１】
Ｇ．第７実施形態：
図９は、第７実施形態におけるヘッドユニット５２Ｇの媒体対向面５６を示す図である。本実施形態において、ヘッドユニット５２Ｇに備えられた吐出ヘッド２０は、複数のノズル２５が第２軸ＡＸ２に沿って配列されたラインヘッドとして構成されている。以下では、このようなヘッドユニット５２Ｇの構成のことを、ラインヘッド構成という。本実施形態において、ヘッドユニット５２Ｇに備えられたノズル２５は、記録用紙Ｐの幅方向に亘って配列されている。そのため、本実施形態におけるヘッドユニット５２Ｇは、記録用紙Ｐの幅方向に沿って往復移動せず、所定の位置に固定されたまま記録用紙Ｐへの記録を行う。
【００３２】
本実施形態においても、第１実施形態と同様に、吐出ヘッド２０のノズル面５４ａにおいて、ノズル形成範囲２５ａよりも、第１軸ＡＸ１における一方側には、撥水性を有する第１領域Ａ１が設けられている。また、ノズル形成範囲２５ａよりも第１軸ＡＸ１における他方側には、第１領域Ａ１よりも撥水性が低い第２領域Ａ２が設けられている。このような構成によれば、ラインヘッド構成を採用するヘッドユニット５２Ｇにおいても、ヘッドユニット５２Ｇに付着したミストに起因する液滴が記録用紙Ｐに付着することを抑制できる。
【００３３】
Ｈ．第８実施形態：
図１０は、第８実施形態におけるヘッドユニット５２Ｈの媒体対向面５６を示す図である。本実施形態においても、図９に示したヘッドユニット５２Ｇと同様に、ラインヘッド構成が採用されている。そして、図４に示した第２実施形態と同様に、固定板２３上に、第１領域Ａ１および第２領域Ａ２が設けられている。このような構成によっても、固定板２３上で液滴が成長して記録用紙Ｐを汚すことを抑制できる。
【００３４】
Ｉ．第９実施形態：
図１１は、第９実施形態におけるヘッドユニット５２Ｉの媒体対向面５６を示す図である。本実施形態においても、ラインヘッド構成が採用されている。そして、図５に示した第３実施形態と同様に、ノズル形成範囲２５ａの他方側が、Ｕ字状に形成された第２領域Ａ２によって囲われている。このような構成によっても、ヘッドユニット５２Ｉに付着したミストに起因する液滴が記録用紙Ｐに付着することを抑制できる。
【００３５】
Ｊ．第１０実施形態：
図１２は、第１０実施形態におけるヘッドユニット５２Ｊの媒体対向面５６を示す図である。本実施形態においても、ラインヘッド構成が採用されている。そして、図６に示した第４実施形態と同様に、固定板２３上において、ノズル形成範囲２５ａの他方側が、Ｕ字状に形成された第２領域Ａ２によって囲われている。このような構成によっても、ヘッドユニット５２Ｊに付着したミストに起因する液滴が記録用紙Ｐに付着することを抑制できる。
【００３６】
Ｋ．第１１実施形態：
図１３は、第１１実施形態におけるヘッドユニット５２Ｋの媒体対向面５６を示す図である。本実施形態においても、ラインヘッド構成が採用されている。そして、図７に示した第５実施形態と同様に、ヘッドユニット５２Ｋに備えられた複数の吐出ヘッド２０に共通して、ノズル形成範囲２５ａの他方側において第２軸ＡＸ２に沿って延びる１つの第２領域Ａ２が設けられている。このような構成によっても、ヘッドユニット５２Ｋに付着したミストに起因する液滴が記録用紙Ｐに付着することを抑制できる。
【００３７】
Ｌ．第１２実施形態：
図１４は、第１２実施形態におけるヘッドユニット５２Ｌの媒体対向面５６を示す図である。本実施形態においても、ラインヘッド構成が採用されている。そして、複数の吐出ヘッド２０のノズル形成範囲２５ａの他方側において、Ｕ字状の第２領域Ａ２が共通して設けられている。このような構成によっても、ヘッドユニット５２Ｌに付着したミストに起因する液滴が記録用紙Ｐに付着することを抑制できる。
【００３８】
Ｍ．第１３実施形態：
図１５は、第１３実施形態におけるキャップ５７Ｍの断面構成を示す図である。本実施形態では、キャップ５７Ｍの端部に、接触部５８が備えられている。接触部５８は、吐出ヘッド２０のノズル面５４ａがキャップ５７Ｍによって封止される際に、第２領域Ａ２に接触する。接触部５８は、例えば、キャップ５７Ｍの開口部を囲う側壁の端部にゴムを接合することによって構成される。このような構成であれば、第２領域Ａ２に濡れ広がった液体が、接触部５８を伝って、キャップ５７Ｍ内に流れ込む。そのため、液滴をヘッドユニット５２から除去することができる。キャップ５７Ｍの内部には、例えば、液体吸収体５９が配置されており、キャップ５７Ｍ内に流れ込んだ液体は、液体吸収体５９に吸収される。その他、例えば、キャップ５７Ｍにポンプを接続し、キャップ５７内に流れ込んだ液体をポンプによってキャップ５７Ｍの外部に排出するようにしてもよい。なお、接触部５８は、第２領域Ａ２に接触する際に、第２領域Ａ２における他方側の端部に接触するよう配置されていることが好ましい。
【００３９】
Ｎ．第１４実施形態：
図１６は、第１４実施形態におけるキャップ５７Ｎの断面構成を示す図である。本実施形態におけるキャップ５７Ｎには、ヘッドユニット５２のノズル面５４ａを封止する範囲の外に、ヘッドユニット５２に設けられた第２領域Ａ２に接触して液体を外部に排出するための流路６０が設けられている。具体的には、本実施形態では、固定板２３の他方側の端部に、第２軸ＡＸ２に沿った第２領域Ａ２が設けられている。そして、キャップ５７Ｎには、固定板２３の他方側の端部に接触可能な側壁６１が設けられている。ノズル面５４ａがキャップ５７Ｎによって封止された際には、キャップ５７Ｎに備えられた側壁６１が第２領域Ａ２に接触し、側壁６１の内面および流路６０を通じて、液体が外部に排出される。
【００４０】
Ｏ．他の実施形態：
（Ｏ−１）上記実施形態では、ヘッドユニット５２に固定板２３が設けられているが、ヘッドユニット５２は、固定板２３を備えていなくてもよい。この場合、ヘッドユニット５２は、例えば、図３に示すホルダー２７に固定される。
【００４１】
（Ｏ−２）上記実施形態では、親水性のコーティングを行うことによって第２領域Ａ２を形成している。これに対して、ノズル面５４ａあるいは固定板２３の表面に形成された撥水性のコーティングの一部を剥離することによって、親水性の第２領域Ａ２形成してもよい。また、親水性のコーティングではなく、親水性を有する材料をノズル面５４ａあるいは固定板２３に貼付することによって第２領域Ａ２を形成してもよい。
【００４２】
（Ｏ−３）上記実施形態において、ノズル面５４ａは、水平な面に対して交差する面であってもよい。水平な面に対して交差するとは、水平方向に対して傾斜することと、水平方向に垂直であることとを含む。この場合、制御部１０は、ノズル面５４ａが水平な面に対して交差した状態で吐出動作を行うようヘッドユニット５２を制御する。
【００４３】
（Ｏ−４）上記実施形態において、ヘッドユニット５２は、液体吐出装置１００に装着された状態で、水平に対して傾斜している。これに対して、例えば、ヘッドユニット５２は、制御部１０によって吐出動作を行うように制御された場合に、水平に対して傾斜するように姿勢を変化させてもよい。
【００４４】
（Ｏ−５）上記実施形態では、ノズル面５４ａが水平な面に対して斜めに交差する系、すなわち、ノズル面５４ａが水平な面に対して０度より大きく９０度よりも小さい角度をなして交差する系について説明したが、ノズル面５４ａが水平な面に対して直角に交差、すなわち直交する系であっても、各実施形態に記載した効果を得ることができる。但し、ノズル面５４ａが水平な面に対して斜めに交差する場合、ノズル面５４ａに付着した液体には記録媒体が存在する方向に対してある程度の重力成分が働くため、記録媒体が存在する方向への液体の盛り上がりが顕著になり、特に各実施形態に記載した効果を好適に得ることができる。
【００４５】
Ｐ．他の形態：
本開示は、上述の実施形態に限られるものではなく、その趣旨を逸脱しない範囲において種々の構成で実現することができる。例えば、以下に記載する各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【００４６】
（１）本開示の第１の形態によれば、液体を吐出するノズルが設けられたノズル面を備えた第１吐出ヘッドを有するヘッドユニットが提供される。このヘッドユニットは、前記ノズルの形成範囲よりも、前記ノズル面に沿った第１軸における一方側には、撥水性を有する第１領域が設けられ、前記ノズルの形成範囲よりも、前記第１軸における他方側には、前記第１領域よりも撥水性が低い第２領域が設けられることを特徴とする。このような形態であれば、ヘッドユニットに付着したミストに起因する液滴によって記録媒体に汚れが発生することを抑制できる。
【００４７】
（２）本開示の第２の形態によれば、液体を吐出するノズルが設けられたノズル面を備えた第１吐出ヘッドを有するヘッドユニットが提供される。このヘッドユニットは、前記ノズルの形成範囲よりも、前記ノズル面に沿った第１軸における一方側には、第１領域が設けられ、前記ノズルの形成範囲よりも、前記第１軸における他方側には、前記第１領域よりも臨界表面張力が大きい第２領域が設けられることを特徴とする。このような形態であれば、ヘッドユニットに付着したミストに起因する液滴によって記録媒体に汚れが発生することを抑制できる。
【００４８】
（３）上記形態のヘッドユニットは、前記ノズル面上において、前記ノズルの形成範囲よりも前記一方側には、前記第１領域が設けられ、前記ノズルの形成範囲よりも前記他方側には、前記第２領域が設けられてもよい。このような形態であれば、ノズル面に付着したミストに起因する液滴によって記録媒体に汚れが発生することを抑制できる。
【００４９】
（４）上記形態のヘッドユニットは、前記第１吐出ヘッドが固定され、前記ノズル面が露出する開口部を有する固定板を更に有し、前記固定板上において、前記ノズルの形成範囲よりも前記一方側には、前記第１領域が設けられ、前記ノズルの形成範囲よりも前記他方側には、前記第２領域が設けられてもよい。このような形態であれば、固定板に付着したミストに起因する液滴によって記録媒体に汚れが発生することを抑制できる。
【００５０】
（５）上記形態のヘッドユニットにおいて、前記ノズルの形成範囲よりも、前記第１軸と交差し前記ノズル面に沿った第２軸における少なくとも一方側には、前記第２領域が設けられてもよい。このような形態であれば、ヘッドユニットに付着したミストに起因する液滴によって記録媒体に汚れが発生することをより効果的に抑制できる。
【００５１】
（６）上記形態のヘッドユニットは、液体を吐出するノズルが設けられたノズル面を備え、前記第１吐出ヘッドと異なる位置に設けられた第２吐出ヘッドを有し、前記第１吐出ヘッドの前記ノズルの形成範囲よりも前記他方側と、前記第２吐出ヘッドの前記ノズルの形成範囲よりも前記他方側と、には、共通の前記第２領域が設けられてもよい。このような形態であれば、ヘッドユニットに付着したミストに起因する液滴によって記録媒体に汚れが発生することを抑制できる。
【００５２】
（７）上記形態のヘッドユニットにおいて、前記ノズル面には、複数の前記ノズルが、前記第１軸に沿って配列されてもよい。このような形態であれば、例えば、シリアルタイプのヘッドユニットに付着した液滴によって記録媒体に汚れが発生することを抑制できる。
【００５３】
（８）上記形態のヘッドユニットにおいて、前記ノズル面には、複数の前記ノズルが、前記第１軸と交差し前記ノズル面に沿った第２軸に沿って配列されてもよい。このような形態であれば、例えば、ラインヘッド構成のヘッドユニットに付着した液滴によって記録媒体に汚れが発生することを抑制できる。
【００５４】
（９）上記形態のヘッドユニットにおいて、前記ヘッドユニットが液体吐出装置に装着されて吐出動作が行われる際に、前記ノズル面は、水平な面に対して交差し、前記一方は、上方に対応し、前記他方は、下方に対応してもよい。このような形態であれば、ヘッドユニットに付着したミストに起因する液滴によって記録媒体に汚れが発生することを抑制できる。
【００５５】
（１０）上記形態のヘッドユニットにおいて、前記ノズルの形成範囲よりも前記一方側には、前記第２領域が設けられなくてもよい。このような形態であれば、ヘッドユニットに付着したミストに起因する液滴によって記録媒体に汚れが発生することをより効果的に抑制できる。
【００５６】
（１１）本開示の第３の形態によれば、液体吐出装置が提供される。この液体吐出装置は、液体を吐出するノズルが設けられたノズル面を備えた吐出ヘッドを有するヘッドユニットと、前記ノズル面が水平な面に対して交差した状態で吐出動作を行うよう前記ヘッドユニットを制御する制御部と、を有し、前記ノズルの形成範囲よりも上方側には、撥水性を有する第１領域が設けられ、前記ノズルの形成範囲よりも下方側には、前記第１領域よりも撥水性が低い第２領域が設けられることを特徴とする。このような形態であれば、ヘッドユニットに付着したミストに起因する液滴によって記録媒体に汚れが発生することを抑制できる。
【００５７】
（１２）本開示の第４の形態によれば、液体吐出装置が提供される。この液体吐出装置は、液体を吐出するノズルが設けられたノズル面を備えた吐出ヘッドを有するヘッドユニットと、前記ノズル面が水平な面に対して交差した状態で吐出動作を行うよう前記ヘッドユニットを制御する制御部と、を有し、前記ノズルの形成範囲よりも上方側には、第１領域が設けられ、前記ノズルの形成範囲よりも下方側には、前記第１領域よりも臨界表面張力が大きい第２領域が設けられることを特徴とする。このような形態であれば、ヘッドユニットに付着したミストに起因する液滴によって記録媒体に汚れが発生することを抑制できる。
【００５８】
（１３）上記形態の液体吐出装置は、前記制御部による吐出動作を行わないときに前記ノズル面を封止するキャップを更に有し、前記キャップには、前記ノズル面の封止を行う際に前記第２領域と接触する接触部が設けられてもよい。このような構成によれば、第２領域に付着した液体をキャップの接触部によって除去することができる。
【００５９】
本開示は、上述したヘッドユニットや液体吐出装置以外の種々の形態で実現することも可能である。例えば、ヘッドユニットに搭載される吐出ヘッドや、吐出ヘッドが固定される固定板等の形態で実現できる。
【符号の説明】
【００６０】
１０…制御部、２０…吐出ヘッド、２１…第１吐出ヘッド、２２…第２吐出ヘッド、２３…固定板、２４…開口部、２５…ノズル、２５ａ…ノズル形成範囲、２６…ノズルプレート、２７…ホルダー、２８…ヘッド収容部、２９…補強板、３０…用紙カセット、３１…ホッパー、３１ａ…揺動軸、３２…給送ローラー、３４…送りローラー、３６…分離ローラー、３８…上流搬送ローラー対、４０…下流搬送ローラー対、４２…プラテン、４３…ヘッド対向領域、４４，４５，４６…送りローラー対、４７…排出経路、４８…排出ローラー対、４９…用紙排出口、５０…排出トレイ、５２…ヘッドユニット、５４ａ…ノズル面、５６…媒体対向面、５７…キャップ、５８…接触部、５９…液体吸収体、６０…流路、６１…側壁、１００…液体吐出装置、Ａ１…第１領域、Ａ２…第２領域、ＡＸ１…第１軸、ＡＸ２…第２軸、Ｇ…ガイド部材、Ｐ…記録用紙
【図１】
2020196191.tif 000003
【図２】
2020196191.tif 000004
【図３】
2020196191.tif 000005
【図４】
2020196191.tif 000006
【図５】
2020196191.tif 000007
【図６】
2020196191.tif 000008
【図７】
2020196191.tif 000009
【図８】
2020196191.tif 000010
【図９】
2020196191.tif 000011
【図１０】
2020196191.tif 000012
【図１１】
2020196191.tif 000013
【図１２】
2020196191.tif 000014
【図１３】
2020196191.tif 000015
【図１４】
2020196191.tif 000016
【図１５】
2020196191.tif 000017
【図１６】
2020196191.tif 000018